【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  組織サンプルを穿刺し且つ収納するようになっているスタイレットと、組織サンプルを切断し且つ捕えるようになっているカニューレと、を有する針セット組立体を受入れることができる生検握りであって、
前記針セットを受入れるハウジングと、
前記ハウジングに摺動可能に取付けられ且つカニューレを前記ハウジングに対して選択的に位置決めするようになっている第１アクチュエーターと、
前記ハウジングに摺動可能に取付けられ且つスタイレットを前記ハウジングに対して選択的に位置決めするようになっている第２アクチュエーターと、を有し、
カニューレ及びスタイレットを、使用者の片手を使用して前記ハウジングに対して移動させるために、前記第１アクチュエーターと前記第２アクチュエーターは両方とも、前記第１アクチュエーターと前記第２アクチュエーターを前記ハウジングに対して前後に摺動させるエレメントを有する、生検握り。
【請求項２】  前記第１アクチュエーター及び前記第２アクチュエーターは各々、前記ハウジングに摺動可能に取付けられた摺動可能ベースを有し、
前記第１アクチュエーターのエレメント及び前記第２アクチュエーターのエレメントは前記摺動可能ベースからの突出体を有し、これらの摺動可能ベースは第１側面及び第２側面を有し、前記第２アクチュエーターを前方に移動させるべく前記第１側面を押し且つ前記第１アクチュエーター及び前記第２アクチュエーターを後方に移動させるべく前記第２側面を押すために、これらの第１側面及び第２側面は使用者の片手で押されるようになっている、請求項１に記載の生検握り。
【請求項３】  前記針セットを前記ハウジングの中に受入れるための開位置から、前記針セットを前記ハウジングの中にロック的に収容するための閉及びロック位置まで移動され、前記ハウジングの底部に配置されたロック用蓋を更に有する、請求項１に記載の生検握り。
【請求項４】  前記ロック用蓋は前記ハウジングの独自の使用法を可能にするようになっている、請求項３に記載の生検握り。
【請求項５】  前記ロック用蓋及び前記ハウジングのうちの一方はキャッチを有し、それらのうちの他方は、前記針セットを前記ハウジング内に係止するために前記キャッチを受入れるレセプタクルを有する、請求項３に記載の生検握り。
【請求項６】  前記キャッチは、傾斜部と後縁とを有するくさび形状であり、
前記傾斜部により、前記キャッチを前記レセプタクルに押し込み、前記後縁は前記キャッチを前記レセプタクルの中に係止する、請求項５に記載の生検握り。
【請求項７】  組織サンプルを穿刺し且つ収納するようになっているスタイレットと、組織サンプルを切断し且つ捕らえるようになっているカニューレと、を有する針セット組立体を受入れることができる生検握りであって、
前記針セットを受入れるハウジングと、
前記ハウジングに摺動可能に取付けられ、カニューレを後方に押すようになっている第１延長部と、
前記ハウジングに摺動可能に取付けられ、スタイレットを後方に押すようになっている第２延長部と、を有し、
前記第２延長部は、スタイレットを組織サンプルの中に前方に押し且つカニューレを自動的に作動させるための作動手段を有する、生検握り。
【請求項８】  前記生検握りは片手操作できるようになっている、請求項７に記載の生検握り。
【請求項９】  前記第１延長部及び前記第２延長部はこれらの延長部から延びる部分を有し、この部分は片手操作のために前記生検握りを適合させる、請求項７に記載の生検握り。
【請求項１０】  前記ハウジングは、前記第１延長部をカニューレに連結するカニューレ用継手と、前記第２延長部をスタイレットに連結するスタイレット用継手と、を有する請求項７に記載の生検握り。
【請求項１１】  スタイレットとカニューレとを有する針セットを受入れるようになっている生検握りであって、
ハウジングと、
前記ハウジングに固着された第１ガイドと、
前記ハウジングに固着された第２ガイドと、
前記ハウジングに摺動可能に取付けられた第１アクチュエーターと、
前記ハウジングに摺動可能に取付けられた第２アクチュエーターと、
前記第１ガイドと関連し、針セットのカニューレに係合するようになっている第１ピンと、
前記第２ガイドと関連し、針セットのスタイレットに係合するようになっている第２ピンと、
前記第１ガイド及び前記第１ピンと関連した第１ばねと、
前記第２ガイド及び前記第２ピンと関連した第２ばねと、
前記第１ピンを前記第１ばねに抗して前記第１ガイドに対して押すために前記第１ピンと関連した第１プッシャ部材と、
前記第２ピンを前記第２ばねに抗して前記第２ガイドに対して押すために前記第２ピンと関連した第２プッシャ部材と、を有し、
前記第１ピン及び前記第１プッシャ部材は、前記第１アクチュエーターが前記ハウジングに対して摺動するように前記第１アクチュエーターと作動的に関連し、カニューレを第１作動可能位置に押すために前記ハウジングに対して前記第１ガイドに沿って移動する生検握り。
【請求項１２】  前記第２ピン及び前記第２プッシャ部材は、前記第２アクチュエーターが前記ハウジングに対して摺動するように前記第２アクチュエーターと作動的に関連し、スタイレットを第２作動可能位置に押すために前記ハウジングに対して前記第２ガイドに沿って移動する、請求項１１に記載の生検握り。
【請求項１３】  第１孔を備えたスタイレットベースを有するスタイレットと、第２孔を備えたカニューレベースを有するカニューレとを有する針セットを受入れるようになっており、スタイレットベース及びカニューレベースが互いに対して移動するとき、スタイレット及びカニューレは互いに対して移動できる、生検握りであって、
ハウジングと、
前記ハウジングに固着された第１ガイドロッドと、を有し、この第１ガイドロッドは、スタイレットベースが前記第１ガイドロッドに沿って移動できるようにスタイレットベースを前記ハウジングと隣接して受入れるようになっており、
前記ハウジングに固着された第２ガイドロッドを更に有し、この第２ガイドロッドは、カニューレベースが前記第２ガイドロッドに沿って移動できるようにカニューレベースを前記ハウジングと隣接して受入れるようになっており、
前記ハウジングに摺動可能に取付けられた第１アクチュエーターと、
前記ハウジングに摺動可能に取付けられた第２アクチュエーターと、
前記第１ガイドロッドに沿って移動でき、前記針セットのスタイレットベースの第１孔に係合するようになっている第１ピンと、
前記第２ガイドロッドに沿って移動でき、前記針セットのカニューレベースの第２孔に係合するようになっている第２ピンと、
前記第１ガイドロッド及び前記第１ピンと関連した第１ばねと、
前記第２ガイドロッド及び前記第２ピンと関連した第２ばねと、
前記第１ピンを前記第１ガイドに対して前記第１ばねに対抗して押すために前記第１ピンと関連した第１プッシャ部材と、
前記第２ピンを前記第２ガイドに対して前記第２ばねに対抗して押すために前記第２ピンと関連した第２プッシャ部材と、を更に有し、
前記第１ピン及び前記第１プッシャ部材は、前記第１アクチュエーターが前記ハウジングに対して摺動するように前記第１アクチュエーターと作動的に関連し、カニューレを第１作動可能位置に押すために前記第１ガイドに沿って前記ハウジングに対して移動する生検握り。
【請求項１４】  前記第２ピン及び前記第２プッシャ部材は、前記第２アクチュエーターが前記ハウジングに対して摺動するように前記第２アクチュエーターと作動的に関連し、スタイレットを第２作動可能位置に押すために前記第２ガイドに沿って前記ハウジングに対して移動する請求項１１に記載の生検握り。
【請求項１５】  スタイレットとカニューレとを有する針セットを受入れるようになっている生検握りであって、
ハウジングと、
前記ハウジングに摺動可能に取付けられた第１アクチュエーターと、
前記ハウジングに摺動可能に取付けられ、前記第１アクチュエーターと隣接した第２アクチュエーターと、を有し、
前記ハウジングは、前記針セットを受入れるようになっているキャビティを有し、
前記第１アクチュエーターは、カニューレに作動的に係合するようになっている第１部材を有し、
前記第２アクチュエーターは、スタイレットに作動的に係合するようになっている第２部材を有し、
前記ハウジングは、スタイレットが挿入された後にカニューレをスタイレットの上に押すための作動部材を有する、生検握り。
【請求項１６】  前記ハウジングは第１ロック部材を有し、
前記生検握りは第２ロック部材を更に有し、この第２ロック部材は、カニューレを適位置に押すために前記第１部材が前記第２ロック部材を押すことができるように、前記第１部材と作動的に関連し且つカニューレと作動的に関連するようになっており、
前記ハウジングは第３ロック部材を更に有し、
前記生検握りは第４ロック部材を更に有し、この第４ロック部材は、スタイレットを適位置に押すために前記第２部材が前記第４ロック部材を押すことができるように、前記第２部材と作動的に関連し且つスタイレットと作動的に関連するようになっており、
前記第２ロック部材は、カニューレを適位置に係止するために前記第１ロック部材をロック的に係合することができ、前記第３ロック部材は、スタイレットを適位置に係止するために前記第４ロック部材をロック的に係合するとができる、請求項１５に記載の生検握り。
【請求項１７】  前記エレメントは、使用者の手で係合されるようになっている突出部である、請求項１に記載の生検握り。
【請求項１８】  前記第１アクチュエーター及び前記第２アクチュエーターは各々、使用者の手で係合されるようになっている突出部を有する、請求項１５に記載の生検握り。
【請求項１９】  前記作動部材は、カニューレをスタイレットの上に自動的に押す、請求項１５に記載の生検握り。
【請求項２０】 組織サンプルを穿刺し且つ収納するようになっているスタイレットと、組織サンプルを切断し且つ捕らえるようになっているカニューレと、を有する針セット組立体を受入れることができる生検握りであって、
前記針セットを受入れるようになっている摺動可能蓋を有するハウジングと、
前記ハウジングに摺動可能に取付けられ、カニューレを前記ハウジングに対して選択的に位置決めするようになっている第１アクチュエーターと、
前記ハウジングに摺動可能に取付けられ、スタイレットを前記ハウジングに対して選択的に位置決めするようになっている第２アクチュエーターと、を有し、
前記第１アクチュエーター及び前記第２アクチュエーターは両方とも、使用中の片手を使用してカニューレ及びスタイレットを前記ハウジングに対して移動させるために、前記第１アクチュエーター及び前記第２アクチュエーターを前記ハウジングに対して前後方向に摺動させるようになっているエレメントを有する生検握り。
【請求項２１】  前記生検握りは金属で作られ、再使用できる、請求項２０に記載の生検握り。
【請求項２２】  組織サンプルを穿刺し且つ収納するようになっているスタイレットと、組織サンプルを切断し且つ捕らえるようになっているカニューレと、を有する針セット組立体を予備引寄せ位置及び引寄せ位置で受入れることができる生検握りであって、
一部分が底用固着蓋によって覆われているハウジングと、
前記ハウジングの中に取付けられ且つ前記底用固着蓋と平行な摺動可能蓋と、を有し、  前記摺動可能蓋は、前記摺動可能蓋が前記予備引寄せ位置の第１位置に開いているように及び前記摺動可能蓋が前記引寄せ位置の第２位置に開いているように位置決めできる生検握り。
【請求項２３】  前記摺動可能蓋は閉位置に位置決め可能であり且つノッチを含み、前記ハウジングは、枢動ロック部材を有するキャビティを有し、前記ハウジング内の針セットを閉位置に係止するときに前記摺動可能蓋を適所に固着させるために、前記ノッチは前記枢動ロック部材を受入れる、請求項２２に記載の生検握り。
【請求項２４】  組織サンプルを穿刺し且つ収納するようになっているスタイレットと、組織サンプルを切断し且つ捕らえるようになっているカニューレと、を有する針セット組立体を予備引寄せ位置及び引寄せ位置で受入れることができる生検握りであって、
一部分が底用固着蓋によって覆われたハウジングと、
前記ハウジング内に取付けられ且つ前記底用固着蓋と平行な摺動可能蓋と、
第１プッシャ部材を有し且つ前記ハウジングに摺動可能に取付けられた第１延長部と、
第２プッシャ部材を有し且つ前記ハウジングに摺動可能に取付けられた第２延長部と、
第１フックと、
第２フックと、
前記第１フック及び前記第２フックと関連した付勢部材と、
前記ハウジングに固着された第１ロッドと、
前記ハウジングに固着された第２ロッドと、
前記第１プッシャ部材及び前記第１ロッドと連通し且つ第１ロック部材を有する第１ピンと、
前記第２プッシャ部材及び前記第２ロッドと連通し且つ第２ロック部材を有する第２ピンと、を有し、
カニューレを第１作動可能位置に押すために、前記第１延長部は前記ハウジングに対して摺動されて、前記第１プッシャ部材は前記第１ピンを前記第１ロッドに対して押し、前記第１フックは前記第１作動可能位置で前記第１ロック部材に係合し、スタイレットを第２作動可能位置に押すために、前記第２延長部は前記ハウジングに対して摺動されて、前記第２プッシャ部材は前記第２ピンを前記第２ロッドに対して押し、前記第１フックは前記第１作動可能位置で前記第１ロック部材に係合する生検握り。
【請求項２５】  前記針セットは、前記第１作動可能位置及び前記第２作動可能位置が達成される前に予備引寄せ位置に挿入される、請求項２４に記載の生検握り。
【請求項２６】  前記針セットは、前記第１作動可能位置及び前記第２作動可能位置が達成された後に引寄せ位置に挿入される、請求項２４に記載の生検握り。